(57)【特許請求の範囲】
【請求項１】
部品成型用物品であって、成型区分と、はぎ取り式区分とを含む使い捨ての成型固定具を備え、前記成型区分が塗布具先端部組立体部品の基部を受け入れるように適合された縁部を有し、前記成型区分が、皮膚製剤の塗布用に使用者の顔面の皮膚領域と接触するのに適した流動可能なシリコーンを受け入れるように前記縁部の下方に内部容積を有し、前記シリコーンは、前記内部容積を満たし、固形に硬化したとき、前記基部から延在する要素に固着し、該要素と共に堅固な結合を形成し、その結果として生じる前記成型固定具と前記塗布具先端部組立体との結合物は、使用準備ができるまで保存することができ、前記はぎ取り式区分が前記成型固定具からの成型部品の便利な取り外しを可能にした、物品。
【請求項２】
前記成型区分の互いに対向する側に２つのはぎ取り式区分を有する、請求項１に記載の物品。
【請求項３】
前記成型区分がカップ形状である、請求項１に記載の物品。
【請求項４】
前記はぎ取り式区分が前記成型区分から外側へ延在する部分を有し、使用者が前記部分を容易に把持することができる、請求項２に記載の物品。
【請求項５】
前記成型固定具が、前記シリコーンが付着しない平滑な材料からなる、請求項３に記載の物品。
【請求項６】
前記シリコーンが前記基部の内部要素に固着する、請求項１に記載の物品。
【請求項７】
前記成型区分の縁部が、前記基部の周辺縁部をスナップ式に留めることができる溝を有する、請求項１に記載の物品。
【請求項８】
前記はぎ取り式区分が、前記はぎ取り式区分の前記周辺縁部の部分の周り、および前記はぎ取り式区分の上面に延在するリブを有する、請求項４に記載の物品。
【請求項９】
前記はぎ取り式区分が、前記成型区分の隣接する部分よりも薄い部分を有する、請求項２に記載の物品。
【請求項１０】
人体の顔面領域に皮膚治療製剤を塗布するための皮膚製剤塗布具内で使用される先端部塗布具組立体の先端部分であって、成型中に前記先端部塗布具組立体の基部に連結され且つ人体の顔面領域と接触する前記先端部分を成型するための方法であって、
前記先端部塗布具組立体の基部を成型固定具内に位置決めするステップであって、前記成型固定具は、前記基部を受け入れるためのカップ区分と、少なくとも１つのはぎ取り式区分とを有し、該成型固定具は、成型後に、前記先端部分を構成するシリコーンから容易に分離することができ且つ該シリコーンに付着しない材料によって構成されている、ステップと、
位置決めされた前記基部の下方の前記カップ区分の容積内に前記シリコーンを流し込み、該シリコーンが前記基部の延在する部分に係合し且つ接着されるようにする、ステップと、
前記シリコーンを硬化させて、前記基部と前記先端部分とを結合させ、前記成型固定具が、成型されたシリコーン部品を内部に含んだ状態で前記先端部塗布具組立体の使用の準備ができるまで保存できる一体品を形成させる、ステップと、
を含む、先端部塗布具組立体の先端部分を成型する方法。
【請求項１１】
前記シリコーンが、ショアタイプＯＯデュロメータ硬さ３０である、請求項１０に記載の方法。
【請求項１２】
前記成型固定具が、前記カップ区分の互いに対向する端部から延在する２つのはぎ取り式区分を有する、請求項１０に記載の方法。
【請求項１３】
前記成型固定具材料が平滑である、請求項１０に記載の方法。
【請求項１４】
前記はぎ取り式区分が前記カップ区分の隣接する部分よりも薄い、請求項１２に記載の方法。
【請求項１５】
前記シリコーンが、成型中に前記固定具の前記カップ区分に固着することがないことを特徴とする、請求項１０に記載の方法。
【発明の詳細な説明】
【技術分野】
【０００１】
[0001]本発明は、一般に、人間の体の顔領域に皮膚治療製剤を適用するための器具に関し、より具体的には、そのような器具で使用される塗布具先端部組立体を製造するための物品および方法に関する。
【背景技術】
【０００２】
[0002]皮膚製剤塗布具などの個人向け小型器具で使用される多くの部品は、型／固定具を使用する成型方法によって製造される。市場での製品の成功を確保するために、成型部品の費用を抑制することが重要である。型および成型工程の詳細の費用が双方とも、費用を抑制する際に重要である。成型工程は、時間がかかる可能性があり、大量生産の要求に対応するために、一般に費用がかかる多量の型空洞が必要である。加えて、成型部品、特に小さいデュロメータ硬さのシリコーン部品を固定具から除去する際に問題が生じることがある。加えて、シリコーン部品は空洞から除去された後、しばしば粘着性がある可能性があり、既存の部品の交換用に使用者に供給されるとき、部品が清浄な状態であることを確保するには特別な取り扱い技術が必要である。さらに加えて、小さいデュロメータ硬さのシリコーンを備える部品は、硬化した後、又は他の方法で使用準備ができた後、モータの駆動端など、他の要素に直接取り付けることが困難である。
【０００３】
[0003]したがって、塗布具向けに所望の結合／組立体を製造する成型工程中に、安価に清浄な部品を確実に製造し、部品を対応する部品にしっかりと付着させるために、皮膚製剤塗布具で使用される成型固定具および特別な部品の成型方法の双方が必要である。
【発明の概要】
【課題を解決するための手段】
【０００４】
[0004]したがって、一態様での本発明は部品成型用物品であり、成型区分と、はぎ取り式区分とを含む使い捨ての成型固定具を備え、成型区分が、塗布具先端部組立体部品の基部を受けるように適合された縁部を有し、成型区分が、皮膚製剤の塗布用に使用者の顔面の皮膚領域と接触するのに適した流動可能な成型材料を受ける縁部の下方に内部容積を有し、シリコーン材料が内部容積を満たし、固形に硬化したとき、基部から延在する要素に固着し、この要素と共に堅固な係合を形成し、その結果として生じる成型固定具と塗布具先端部組立体部品の結合が、使用準備ができるまで保存されることができ、はぎ取り式区分が部品を成型固定具から便利に除去することを可能にする、部品成型用物品である。
【０００５】
[0005]本発明の別の態様は、皮膚製剤塗布具内で使用される先端部塗布具組立体の先端部分を成型するための方法であって、成型中に先端部分が先端部塗布具の基部に連結し、成型固定具内の先端部塗布具組立体の基部の位置を決めるステップであって、成型固定具が基部を受けるためのカップ区分と、少なくとも１つのはぎ取り式区分を有し、成型固定具が、成型後、部品の先端部分を備える成型材料から容易に分離することができ、成型材料に付着しない材料を備える、ステップと、位置決めされた基部の下方のカップ区分の容積内に成型材料を流し込むステップであって、成型材料が基部の延在する部分に係合し、固着するステップと、基部および先端部分が結合した一体を形成するように、成型材料を硬化させるステップであって、成型部品を中に含む成型固定具は、先端部塗布具組立体の使用の準備ができるまで、保存されることができる、ステップとを含む、先端部塗布具組立体の先端部分を成型するための方法である。
【図面の簡単な説明】
【０００６】
【図１】[0006]本発明で開示された製造方法の使用によって製造された塗布具先端部組立体の等角図である。
【図２】[0007]本発明で開示された成型固定具の斜視図である。
【図３】[0008]図２の成型固定具の上面図である。
【図４】[0009]図２および図３の成型固定具の側面の立面図である。
【図５】[0010]塗布具先端部組立体が成型固定具上の適所に受けられた図２から４に類似した成型固定具の斜視図である。
【図６】[0011]成型固定具にシリコーンまたは類似の材料を充填後の、図５の成型固定具を示す横断面図である。
【発明を実施するための形態】
【０００７】
[0012]図１は、本発明で開示された成型物品および製造方法を使用して形成された器具部品１０の実施例を示す。この実施例では部品１０は、皮膚の顔面領域に皮膚製剤を塗布するための器具で使用される塗布具先端部組立体である。塗布具先端部組立体１０は、本発明と同じ譲受人に譲渡された同時係属中の特許出願第１２／４７４４２６号でより詳細に説明される。その特許出願の情報は本明細書に参照により取り入れられる。
【０００８】
[0013]簡潔には、塗布具先端部組立体１０は、塗布具の操作中に使用者と身体的な接触をする先端部分１２を含む。先端部分１２は非常に柔軟でなければならず、一実施例では、ショアタイプＯＯデュロメータ硬さ約３０である。塗布具先端部組立体１０はまた、塗布具モータの駆動端部に便利に取り付け、および除去されるために十分に剛性である基部１４を有する。上記に示すように、基部１４と先端部分１２の非常に異なる性質のために、説明した塗布具先端部組立体を製造するために従来の成型固定具を使用することに困難な点がある。これらの困難な点には、大量の製造を得るための固定具費用が高価であること、および固定具から成型部品を除去し、最終の使用者に配送するまで結果として得られた部品を清浄に保つことが困難であることが含まれる。
【０００９】
[0014]本発明の成型固定具が図２から６に示される。成型固定具１６は、低密度ポリエチレンなどの平滑な材料から作成された使い捨て固定具である。成型固定具１６は、中央のカップ状区分１８および２つの対向する側のはぎ取り式翼区分２０および２２を有する。翼区分は、カップ区分１８の側面に沿って下方に延在するはぎ取り線２４を有する。はぎ取り線２４は固定具の残りの部分よりも薄い。薄い区分は約０．０１２７ｃｍ（０．００５インチ）の厚みであり、一方成型固定具１６の残りの部分は、典型的には約０．０７６２ｃｍ（０．０３０インチ）であるが、これは変化することができる。固定具のサイズもまた、成型される部品に依存して変化することができる。図示された実施形態では、カップ区分１８は、高さが約０．０７６２ｃｍ（０．３００インチ）であり、直径が約１．２７ｃｍ（０．５００インチ）である。２つの翼区分２０および２２は、長さが約１．５２４ｃｍ（０．６００インチ）であり、カップ区分１８から外側に直接延在する。各翼区分は、略円形の外側／外部部分２８およびカップ区分１８の外側部分に結合するより狭い内側／内部部分３０を有する。各外側部分は、翼区分のはぎ取りを促進するために、その周辺の部分に沿った小さい縁部３２を有する。カップ区分１８の上部縁部３４は、翼区分２０および２２の内側部分３０の縁部の間に、上部縁部３４の部分の周囲に延在するリップ部３６を有する。
【００１０】
[0015]成型工程中に、外側壁４２を有する剛性の基部１４は、壁４２の上方縁部４０の外側に延在する小さい部分３９（図６に反対に示す）がカップ区分１８のリップ部３６内にスナップ式に嵌ることができるように、固定具１６内に配置される。これは、翼区分２０および２２の上面のリブ４５―４５をも示す図５および図６で最も明確に示される。これは、内側容積３７を基部１４の下方のカップ区分１８内部に残す。
【００１１】
[0016]この工程で、塗布具モータの駆動端部に嵌合する基部１４の底部は、特許出願第１２／４７４４２６号に詳細に開示されているように、成型固定具先端の上方に延在する。基部の要素４４−４４は、塗布具モータの駆動端部と嵌合することができる。しかし、この結果を達成するための様々な配置が可能であるが、本発明の一部ではない。図示された実施形態では、円筒型部材または分離した弓型要素であり得る係合部材５０は、カップ区分の内部容積３７内に下方に延在する。次に、塗布具組立体部品の実際の成型が開始する。
【００１２】
[0017]シリコーンまたは他の類似の材料４３が、液状で、基部１４を通り、成型固定具のカップ区分の内部容積３７内に注がれる。図６に示すように、材料が基部１４の内部に短い距離で延在するように、十分な材料が内部容積３７内に供給される。係合部材５０−５０が、シリコーン材料によって部分的に封入される。これは、塗布具組立体の柔らかい先端部を画定するシリコーン材料とより剛性の基部との信頼できる強固な結合を提供し、剛性の基部は、塗布具モータの駆動端部に所要の信頼できる強固な取り付け能力を提供する。
【００１３】
[0018]本明細書で示す成型固定具は上述のように使い捨てである。カップがシリコーンで充填された後、成型固定具内で硬化し、次いで保存されることが可能である。中に部品を有する成型固定具は、顧客に直接発送され得る。塗布具組立体が交換されるとき、使用者は新しい組立体から細長片２０および２２を簡単にはぎ取り、成型シリコーン先端部は容易に清浄に成型固定具から外れる。次いで、塗布具組立体は塗布具モータの駆動端部に取り付けられる。次いで、成型固定具は廃棄される。
【００１４】
[0019]上記に開示された成型固定具は、その容易さと低価格を含むいくつかの有利な点を有する。顧客は、組立体を固定具から容易に簡単に除去し、それを取り付けることができる。部品は、はぎ取り式細長片の補助で固定具から清浄に外れる。固定具の配置もまた、部品が既存の部品の取り換え用に使用者に供給されるとき、部品が清浄な状態であることを確保する。
【００１５】
[0020]好ましい実施形態が図示の目的のために開示されてきたが、様々な変形形態、修正形態および代替形態が、以下に続く特許請求の範囲に定義された本発明の精神から離れることなく好ましい実施形態で作成され得ることを理解されたい。
【図１】
0005834005.tif 000002
【図２】
0005834005.tif 000003
【図３】
0005834005.tif 000004
【図４】
0005834005.tif 000005
【図５】
0005834005.tif 000006
【図６】
0005834005.tif 000007